(57)【要約】被検体（１０）は核カメラの線形検出器配列（１８）に隣接して配置される。被検体（１０）には放射性同位元素（１４）が注入され、円形の視野に亘ってデータを収集するために回転軸回りに検出器配列が回転されるにつれて、核崩壊を示すγ線放出が検出器配列（１８）において検出される。回転軸から遠い検出器は、角度的なエイリアシングを補正するために概して一定の回転円弧の後に検出器がサンプリングされるよう、より高いサンプリングレートでサンプリングされる。検出器配列（１８）は、被検体の縦軸から検出器配列が角度的にずらされた１／ｓｉｎθパターンで回転軸回りを回転する。これは、さもなければ不均一であるサンプリングを補正する。再構成プロセッサ（４６）は、球状の画像表現を発生するために、γ線を受信する検出器の識別表示、又は事象検出位置の他の標識、及びディジタルピーク値を再構成する。
2004524533.tif 000002
【特許請求の範囲】
【請求項１】
ａ）放射線同位元素を撮像領域中に配置された被検体へ導入する段階と、
ｂ）夫々が複数の角度的な向きにある検査領域の複数の平面的な投影を発生するために核崩壊を示す光子の放出を検出している間、固体検出器配列を回転させる段階と、
ｃ）被検体の縦軸の回りに検出器配列を動かし、回転及び検出する段階ｂ）を繰り返す段階と、
ｄ）前記検出された光子の放出を前記撮像領域中の被検体の画像表現へ再構成する段階とを含む、
診断用撮像方法。
【請求項２】
均一でないサンプリング周波数で前記配列の検出器をサンプリングする段階を更に含む、請求項１記載の方法。
【請求項３】
前記配列の検出器のうち前記配列の回転軸に近い検出器は、前記回転軸からより遠い検出器よりも低いサンプリングレートでサンプリングされる、請求項２記載の方法。
【請求項４】
前記回転段階ｂ）は、前記検出器配列を一定でない速度で回転させる段階を含む、請求項１乃至３のうちいずれか一項記載の方法。
【請求項５】
前記検出器配列は、前記縦軸に対して平行に近いときはより速く回転し、前記縦軸に対して垂直に近いときはより遅く回転する、請求項４記載の方法。
【請求項６】
前記検出器配列は、前記検出器配列の軸の前記縦軸に対する角度の逆正弦の関数として回転される、請求項１乃至５のうちいずれか一項記載の方法。
【請求項７】
前記回転軸からより遠くにある配列の検出器を、前記回転軸により近い検出器よりも頻繁にサンプリングする段階を更に含む、請求項１乃至６のうちいずれか一項記載の方法。
【請求項８】
前記回転段階は、
前記検出器の軸が前記縦軸に対して平行に近くなるにつれて前記検出器配列をより速く回転させ、
前記検出器の軸が前記縦軸に対して平行から９０°に近くなるにつれて前記検出器配列をより遅く回転させる、請求項１乃至７のうちいずれか一項記載の方法。
【請求項９】
前記検出器配列は、前記縦軸の周りをステップごとに動かされ、
前記再構成段階は、
各ステップにおいて、検出された光子の放出を円形の投影画像へ再構成し、
球状の体積画像を発生するために前記円形の投影画像を逆投影する、
請求項１乃至８のうちいずれか一項記載の方法。
【請求項１０】
前記回転段階は、
前記検出器配列を中心点回りに連続的に回転させる、請求項１乃至８のうちいずれか一項記載の方法。
【請求項１１】
検出された光子を、最も近いものが前記検出器配列の実際の位置に対応するよう検出ビンへ分ける段階を更に含む、請求項１０記載の方法。
【請求項１２】
撮像領域中の被検体から又は被検体を通じて放射線を送る手段と、
前記放射線を前記被検体の少なくとも一部を通って送られた後に検出する手段と、
前記検出手段を前記被検体の縦軸回りに回転させる第１の回転手段と、
前記検出手段が放射線を検出している間、前記検出手段を前記縦軸に対して垂直な軸回りに回転させる第２の回転手段と、
前記検出された放射線を前記被検体の画像表現へ再構成する手段とを含む、
診断用撮像装置。
【請求項１３】
前記第２の回転手段は支持部材を含み、前記検出手段は連続的に支持部材の回りを回転する、請求項１２記載の診断用撮像装置。
【請求項１４】
検出された放射線事象を前記検出手段上でのそれらの検出の位置に従って位置的に分類整理するビニング（ｂｉｎｎｉｎｇ）手段を更に含む、請求項１２又は１３記載の診断用撮像装置。
【請求項１５】
前記検出手段のサンプリングを、前記検出器回転軸からの放射線検出の距離に従って制御するサンプリング手段を更に含む、請求項１２乃至１４のうちいずれか一項記載の診断用撮像装置。
【請求項１６】
回転速度を前記検出手段の回転角度に従って変化させるよう前記第２の回転手段を制御する手段を更に含む、請求項１２乃至１５のうちいずれか一項記載の診断用撮像装置。
【請求項１７】
前記検出手段によって検出された放射線から前記被検体の球状の体積画像を発生させる再構成手段を更に含む、請求項１２乃至１６のうちいずれか一項記載の診断用撮像装置。
【請求項１８】
撮像領域中の被検体の少なくとも一部を通過するγ光線の放出を検出する検出器配列と、
前記検出器配列に直交する駆動軸回りに前記検出器配列を回転させるよう前記検出器配列に接続された回転駆動部と、
前記検出されたγ光線を前記撮像領域中の被検体の画像表現へ再構成する再構成プロセッサとを含み、
前記検出器配列及び駆動は前記被検体の軸回りの回転のためにガントリーに取り付けられる、
核撮像装置。
【発明の詳細な説明】
【背景技術】
【０００１】
本発明は、診断用撮像技術に係る。本発明は、特に、ＳＰＥＣＴ核撮像システムに適用されうるものであり、これに関して特に参照して説明する。しかしながら、本発明は透過放射線を用いる他のシステムに関連しても有用であり、上述の適用に限られないことが理解されるべきである。
【０００２】
一般的に、核撮像法では、非侵襲的な診断用画像を提供するために、放射能の線源が用いられる。線源は、一般的には患者の中に注入されるが、外部線源が使用されてもよい。線源からの放射線は、患者の少なくとも一部を横切り、放射線検出器によって検出される。
【０００３】
一般的には、核カメラは、１つ、２つ、又は３つの検出器ヘッドを有する。各ヘッドは、入射する放射線光子を閃光、即ち光の閃きへ変換するドープされたヨウ化ナトリウムといった大きいシンチレータシートを有する。光増倍管の配列は、光の閃きを監視するためにシンチレータの背面に配置される。光増倍管の出力及び関連する回路は、ヨウ化ナトリウム結晶上の各閃光の座標とそのエネルギーを示す。残念なことに、大きいシンチレータ結晶と光増倍管の配列を用いる場合には多くの非均一性及び不正確さが生ずる。
【０００４】
ヘッドは、放射線がそれに沿って受けられうる軌跡を制限するために、結晶と被検体との間に配置されたコリメータを有する。一般的には、コリメータは、開口又は孔の配列を有する厚い鉛の板である。孔のうちの１つを通る軌跡に沿って進行する放射線は結晶に当たり、一方、他の軌跡に沿って進行する放射線はコリメータに当たって吸収される。このようにして、各閃光は、拡大及び縮小コリメータもまた知られているが、一般的には結晶の面に対して垂直である光線を画成する。コリメータが厚ければ厚いほど、光線の軌跡はより正確に画成されるが、検出器に到達することなくコリメータ中で吸収される放射線はより多くなる。
【０００５】
検出器に到達する放射線の量を多くするために、検出される放射線が光線ではなく面を画成するよう、一列の検出器を横切る１つの方向にコリメータシートを用いることが提案されている。検出器は、多くの角度で平面を収集するよう回転される。３次元画像のために、検出器は被検体の周りの複数の位置に配置され、回転式のデータ収集処理が繰り返される。回転式のデータ収集技術から得られる画像は、データサンプリングでの非均一性によるアーティファクトを有する。
【０００６】
本発明は、上述の問題及び他の問題を克服する新規な改善された方法及び装置を提供する。
【発明の開示】
【課題を解決するための手段】
【０００７】
本発明の１つの面によれば、診断用撮像の方法が提供される。放射線同位元素は、被検体へ導入される。同位元素は崩壊し、核崩壊事象を示す放射線は、平坦な投影を生成するために回転する固体検出器配列によって検出される。検出器は被検体の周りを動かされ、被検体の複数の異なるビューを収集する。検出された放射線の放出は被検体の画像再構成へと再構成される。
【０００８】
本発明の他の面によれば、診断用撮像装置が提供される。放射線を送る手段は、被検体の一部を通過した後に検出手段によって検出される放射線を送る。第１の回転手段は、被検体の縦軸回りに検出手段を回転させる。第２の回転手段は、検出手段が放射線を検出している間に縦軸に対して垂直な軸回りに検出手段を回転させる。再構成手段は、検出された放射線を被検体の画像表現へ再構成する。
【０００９】
本発明の他の面によれば、診断用撮像装置が提供される。検出器配列は、撮像領域中の被検体の一部を通過するγ線の放出を検出する。回転駆動部は、検出器配列を検出器配列に対して直角な軸回りに回転させる。回転駆動部は、被検体の軸回りの回転のためにガントリーに取り付けられる。再構成プロセッサは、検出されたγ線を撮像領域中の被検体の画像表現へ再構成する。
【００１０】
本発明の１つの利点は、小さい比較的軽い核検出器配列を提供することである。他の利点は、固体（ｓｏｌｉｄ−ｓｔａｔｅ）核検出器配列を提供することである。他の利点は、撮像体積に亘って均一なサンプリングを提供することである。他の利点は、放射線解像度が保たれることである。他の利点は、角度的なサンプリングレートが保たれることである。他の利点は、均一に分布されたデータ点にある。本発明の更なる利益及び利点については、望ましい実施例を読み理解することによって当業者によって明らかとなろう。
【発明を実施するための最良の形態】
【００１１】
本発明は、種々の構成要素、及び、構成要素の配置の形、並びに、種々の段階、及び、段階の配置の形をとりうる。図面は、望ましい実施例を例示するためだけのものであって、本発明を制限するものと理解されてはならない。
【００１２】
図１を参照するに、被検体１０の関心領域は撮像領域１２中に配置されている。望ましい実施例では、患者の中へ撮像されるべき領域の近くに放射性医薬品１４が注入される。例えば、医師が大動脈の閉塞を見ようとするとき、閉塞の上流の血流に同位元素が注入される。他の例では、放射性医薬品１４は循環系へ注入され、関心となる組織による放射性医薬品１４の選択的な吸収が監視される。
【００１３】
量子物理学において予測されるように、放射性同位元素の原子核は、時間が経つにつれて崩壊する。エネルギーは、崩壊のときに、特徴エネルギーを有する放射線光子、より特定的にはγ線、の形で放出される。
【００１４】
図２を参照し、図１を更に参照するに、撮像処理中に生ずるγ線の多くは、役に立たない方向へ伝搬されて失われる。しかしながら、γ線のうちの幾らかは、望ましい実施例では薄いタングステン、鉛、又は他のhigh-zの羽根であるコリメータ１６を通過し、検出器配列１８に当たる。望ましい実施例では、図２を参照するに、検出器配列１８はテルル化カドミウム亜鉛（ＣＺＴ）結晶の線形配列を含む。γ線は、検出器に当たると、多くの電子をそれらの結合から検出器の材料へ解放する。これらの電子はある厚さの結晶を通して進められ、電気的信号を形成する。
【００１５】
図２を参照するに、線形検出器配列の望ましい実施例は二次元検出器配列２０によって決められる。コリメータ１６は１つの次元に延び、検出器配列１８は、コリメータの羽根に対して横方向ではデータ収集のために一次元として扱われる。一列の検出器２２は、光子のカウントを増加させるために、あたかも単一の細長い結晶であるかのように全てが一緒にサンプリングされる。
【００１６】
図１を更に参照するに、検出器配列１８は、関心領域回りの回転のためのガントリーに取り付けられたヘッド３０に取り付けられる。望ましい実施例では、モータ３２は、中心軸３４回りに検出器配列を回転させる。回転中、検出器は被検体１０の縦軸３６に平行と、縦軸３６から９０度の間で動く。検出器配列１８のこれらの２つの動き、即ち、それ自体の軸回りの回転と被検体１０の周りでのヘッド３０の並進は、正確な三次元画像表現を再構成するために被検体１０の十分な様々なビューを検出器配列１８に与える。
【００１７】
検出器配列１８は、それ自体の中心軸回りを回転する。望ましい実施例では、検出器配列１８が回転している間、ヘッド３０は静止したままである。平行なコリメータが配列１８に対して垂直のとき、配列１８は１８０°回転する。この値は、完全な一組のビューを得るのに十分な最小の範囲の回転であることが理解されるべきである。配列１８はまた、その位置における光子のカウントを増加させるためにより多くの回転を行ない、より長い時間に亘ってカウントを積分することができる。配列１８に対して垂直以外の平行なコリメータ１６では、完全なビューを得るために３６０°の回転が行われる。
【００１８】
検出器配列１８が回転するにつれて、配列の外側の端部は円を描き、図３に示すような検出器配列１８の視野の外側の縁を画成する。実際、全ての個々の検出器２２は回転されると円を描くが、明瞭性のため最も外側のもののみを図示する。望ましい実施例では、モータ速度制御部４０は、一定でない速度で検出器配列１８を回転させる。検出器配列の速度は、患者の縦軸３６に対するその位置（角度θで測定される）の関数として表わされる。望ましい実施例についてより特定的には、検出器配列１８が回転する速度は、１／ｓｉｎθの変更された関数として変化する。関数は、物理的な境界のため変更される。θ→０°＋のときの１／ｓｉｎθの限界＝∞であり、θ＝０°のときに無限の速度を与える。この関数はまた、望ましい実施例では検出器が１つの方向にのみ回転するため、絶対値をとるよう変更される。従って、配列１８は、図３中の点４２によって示されるように、θが０°に最も近いときに最も速く回転し、θが９０°に最も近いときに最も遅く回転する。視覚化を簡単化するため、検出器は図３中の点から点へ動くときに等しい時間をかける。このようにして、データは、極においても赤道における密度と略同じ密度で収集される。
【００１９】
望ましい実施例では、検出器配列１８は、点４２において停止しないが、むしろ、連続的に回転する。検出器配列１８によって収集されるデータはビニング（ｂｉｎｎｉｎｇ）され、即ち、サンプリング制御器４４によって検出されるようにデータが検出された時点における配列１８の位置に従って量子化される。図４を参照するに、配列の端における検出器は各サンプリング期間中に、中心付近の検出器よりも長い円弧に沿って動くことがわかる。検出器が全て同時にサンプリングされれば、幾つかのデータでは他のデータよりもかなり少ない空間解像度となる。従って、サンプリング制御器４４は、異なるサンプリング周波数で検出器をサンプリングする。図示された実施例では、真ん中の三分の一の検出器は内側の三分の一のサンプリング周波数の２倍でサンプリングされ、外側の三分の一はサンプリング周波数の４倍でサンプリングされる。即ち、３つの放射方向のサンプリング領域がある。第１の領域は中心点３４から円４６まで延びる。第２のサンプリング領域は、円４６から第２の円４８まで延びる。第３のサンプリング領域は、第２の円４８から外側の周囲５０まで延びる。
【００２０】
図４を参照するに、検出されたデータ点は、上述のように角度θに従って、また、中心軸３４からの放射方向の距離に従ってビンへとソートされる６０。例えば、点６２及び６４とビン６６及び６８を考える。２つの点は、共に同じ半径上にある。しかしながら、点は、中心からの放射方向の距離に従って、異なってビニングされる。点６２は、第２のサンプリング領域中にあるためビン６８へとソートされるが、点６４は第３のサンプリング領域中にあり、従ってビン６６へビニングされる。サンプリング周波数及び領域の数は、検出器配列の全ての部分に略等しい解像度を与えるよう選択される。
【００２１】
検出器配列１８の回転運動は、撮像領域１２の単一の二次元ビューを与える。被検体１０の周りからの多数のビューは、球状の撮像領域１２の三次元ビューを再構成するために得られる。図５を参照するに、ヘッド３０が位置決めされる被検体１０の周りの各点において、撮像領域１２の二次元ビューが上述のように発生される。図５中、これらのビューのうちの２つが平面７０、７２として示されている。
【００２２】
望ましい実施例では、被検体１０の周りの配列１８の動きは、離散したステップで行われる。配列１８は、各ステップで停止し、二次元のビューを発生する。各二次元ビューは、図３を参照して説明したθ依存性を用いて発生される。球状の体積の赤道を通る平面は、縦軸３６に対して垂直であり、被検体１０の周りのヘッド３０の回転面に対して平行である。縦軸は、球状の体積の極を通って延びる。
【００２３】
図１を更に参照するに、事象解析器８０は有効な事象を検出し、二重エネルギー（ｄｕａｌ  ｅｎｅｒｇｙ）法等においてはエネルギーによってこれらをソートする。ソータ６０は、図４を参照して説明したように有効な事象をビニングする。事象は、再構成プロセッサ８２によって三次元画像へと再構成される。図示する実施例では、二次元再構成プロセッサ８４は、被検体１０の周りのヘッドの各ステップ化された位置に対する二次元投影を再構成し、逆投影プロセッサ８６は、操作者が画像を見ようとするまで、二次元画像を体積画像メモリ８８へ逆投影する。操作者が画像を見ることを要求すると、画像プロセッサ９０は、例えばコンピュータモニタ、ＬＣＤディスプレイ、アクティブマトリックスモニタ等の人間が読み取り可能なディスプレイ９２上への表示のために体積画像の選択された部分を処理する。
【００２４】
他の実施例では、検出器配列１８は、全ての位置において等しい時間をかけて、時間的に一定の速度で回転される。
【００２５】
他の実施例では、ヘッド３０は被検体１０の周りを連続的に動く。
【図面の簡単な説明】
【００２６】
【図１】本発明による核撮像装置を示す図である。
【図２】本発明による検出器配列及びコリメータ配置を示す斜視図である。
【図３】検出器配列のそれ自体の軸回りの回転を示す図である。
【図４】角度的なサンプリングレートを保つデータビニング（ｄａｔａ  ｂｉｎｎｉｎｇ）技術を示す図である。
【図５】撮像体積の周りの検出器配列の並進的な動きがどのようにして視界を拡充するかを示す図である。
【図１】
2004524533.tif 000003
【国際公開パンフレット】
2004524533.tif 000004
2004524533.tif 000005
2004524533.tif 000006
2004524533.tif 000007
2004524533.tif 000008
2004524533.tif 000009
2004524533.tif 000010
2004524533.tif 000011
2004524533.tif 000012
2004524533.tif 000013
2004524533.tif 000014
2004524533.tif 000015
2004524533.tif 000016
2004524533.tif 000017
2004524533.tif 000018
2004524533.tif 000019
2004524533.tif 000020
2004524533.tif 000021
2004524533.tif 000022
【国際調査報告】
2004524533.tif 000023
2004524533.tif 000024
2004524533.tif 000025
2004524533.tif 000026